(57)【要約】【課題】  郵便物が大型であっても当該郵便物の郵便番号及び住所などの区分情報を拡大表示し、ビデオコーディング端末による入力処理が可能なビデオコーディングシステムを提供する。【解決手段】  本発明のビデオコーディングシステムは、スキャナ部で１１郵便物Ｐの画像を読み取り、この読取画像から低解像度画像と圧縮画像を生成する。認識部１５で上記読取画像を認識した結果ＮＧの場合、上記低解像度画像を専用認識部２８で認識して複数の郵便番号エリア候補及び住所エリア候補を生成する。これら各エリア候補に応じた郵便物の画像を上記圧縮画像から展開してＶＣＤ３０の表示部３３に表示する。オペレータはこの表示部３３に表示された画像を目視確認しながら郵便番号又は住所を入力する。なお、ＶＣＤの入力部３４からキー入力することによって上記各エリア候補の画像を選択して上記表示部３３に表示することができる。【選択図】  図１
2005284502.tif 000002
【特許請求の範囲】
【請求項１】
郵便物の画像を読み取る読取手段と、
この読取手段で読み取られた読取画像からデータを間引いて低解像度画像を生成する低解像度画像生成手段と、
前記読取手段で読み取られた読取画像を圧縮して圧縮画像を生成する圧縮画像生成手段と、
前記読取手段で読み取られた読取画像から前記郵便物に記載された郵便番号又は住所を含む区分情報を認識する認識手段と、
この認識手段により区分情報の一部が認識できなかったとき、前記低解像度画像生成手段による前記郵便物の前記低解像度画像と、前記圧縮画像生成手段による前記郵便物の前記圧縮画像と、前記認識手段による前記区分情報の認識の結果生成された画像ヘッダを含む処理データとを蓄積するために送信する送信手段と、
この送信手段によって送信された前記処理データを蓄積する蓄積手段と、
この蓄積手段によって蓄積された前記処理データを読み取り、前記郵便物の郵便番号エリア候補及び住所エリア候補を検出する検出手段と、
この検出手段によって検出された郵便番号エリア候補及び住所エリア候補に基づき前記圧縮画像を表示する表示手段と、
前記郵便番号エリア候補及び前記住所エリア候補の表示を切り換えるための入力を受け付ける入力手段と
を有することを特徴とするビデオコーディングシステム。
【請求項２】
前記表示手段は、
前記郵便物を前記表示手段に１画面表示する手段と、
当該郵便物の郵便番号エリア候補又は住所エリア候補を拡大又は縮小して前記表示手段に１画面又は２画面にして選択的に表示する手段と
を有することを特徴とする請求項１記載のビデオコーディングシステム。
【請求項３】
前記表示手段はさらに、
前記郵便物の郵便番号エリア候補を前記表示手段に設定した郵便番号表示ウィンドウに表示し、かつ、前記郵便物の住所エリア候補を当該表示手段に設定した住所表示ウィンドウに表示することを特徴とする請求項１又は請求項２記載のビデオコーディングシステム。
【請求項４】
前記検出手段は、
前記蓄積手段によって蓄積された前記処理データの前記低解像度画像を認識する専用認識部を備え、この専用認識部によって認識することにより、前記郵便番号エリア候補及び住所エリア候補を検出し、かつ、検出されたエリア候補を当該処理データの画像ヘッダに付加することを特徴とする請求項１記載のビデオコーディングシステム。
【請求項５】
前記検出手段はさらに、
前記郵便番号エリア候補及び住所エリア候補を各エリア毎に複数箇所検出し、その検出した検出箇所に優先度をつけて前記画像ヘッダに付加することを特徴とする請求項１又は請求項４記載のビデオコーディングシステム。
【請求項６】
前記画像ヘッダは、
前記読取画像に付帯する付帯情報であるＯＣＲ情報からなり、画像ＩＤ、低解像度画像サイズ、圧縮画像サイズ、前記エリア候補の開始位置及びエリアサイズを示す情報の少なくとも１つを含むことを特徴とする請求項１、請求項４、請求項５記載のビデオコーディングシステム。
【発明の詳細な説明】
【技術分野】
【０００１】
本発明は、郵便物読取区分機が郵便物に記載されている配達区分先を認識できなかった場合にオペレータが当該配達区分先を確認して入力するビデオコーディングシステムに関する。
【背景技術】
【０００２】
例えば、郵便物を区分する郵便物読取区分機では、郵便物の住所あるいは郵便番号を読み取り、この読み取った住所あるいは郵便番号からなる配達区分情報に基づき郵便物を区分処理している。
【０００３】
また、この郵便物読取区分機において、郵便物の住所あるいは郵便番号が読み取れなかったとき、当該郵便物の読取画像は、ビデオコーディングシステム（以下、ＶＣＳと称する）に送信され、このＶＣＳの蓄積分配装置に蓄積される。この蓄積分配装置は、受信した読取画像をビデオコーディング端末（以下、ＶＣＤと称する）に分配する。このＶＣＤを操作するオペレータは、ＶＣＤに分配された読取画像を目視しながら住所あるいは郵便番号からなる配達区分情報を入力（打鍵）する。上記郵便物読取区分機は、この入力された配達区分情報によって郵便物を区分処理していた。
【０００４】
この方法は、処理する郵便物の大きさに合わせて郵便物全体が表示されるように拡大又は縮小して表示していた。また、手書き郵便物において当該郵便物の郵便番号の枠エリアがＯＣＲで検出できた場合、この枠エリアのみ別ウィンドウを用いてポップアップ表示していた（例えば、特許文献１参照。）。
【特許文献１】特開平９−７５８８６号公報  （第１頁、第１図）
【発明の開示】
【発明が解決しようとする課題】
【０００５】
しかし、特許文献１記載の方法は、下記問題点がある。第１の問題は、処理する郵便物が大型の場合、郵便物全体をビデオコーディング端末に表示させると、当該郵便物によっては郵便番号又は住所が見えにくくなるという問題である。
【０００６】
第２の問題は、郵便物が大型の場合、郵便物処理装置が郵便番号又は住所（以下、住所と称する）の記載位置を検出して認識するのに処理時間がかかるため、ビデオコーディング端末によるオンライン処理（郵便物処理装置の搬送路に郵便物がある間にオペレータの入力処理を終了すること）が困難になる場合があり、上記記載位置の認識処理の高速化が必要になるという問題である。
【０００７】
本発明は上記問題を解決するためになされたもので、郵便物が大型であっても当該郵便物の郵便番号及び住所などの区分情報を拡大表示し、ビデオコーディング端末による入力処理が可能なビデオコーディングシステムを提供することを目的とする。
【課題を解決するための手段】
【０００８】
上記目的を達成するために、本発明のビデオコーディングシステムは、郵便物の画像を読み取る読取手段と、この読取手段で読み取られた読取画像からデータを間引いて低解像度画像を生成する低解像度画像生成手段と、前記読取手段で読み取られた読取画像を圧縮して圧縮画像を生成する圧縮画像生成手段と、前記読取手段で読み取られた読取画像から前記郵便物に記載された郵便番号又は住所を含む区分情報を認識する認識手段と、この認識手段により区分情報の一部が認識できなかったとき、前記低解像度画像生成手段による前記郵便物の前記低解像度画像と、前記圧縮画像生成手段による前記郵便物の前記圧縮画像と、前記認識手段による前記区分情報の認識の結果生成された画像ヘッダを含む処理データとを蓄積するために送信する送信手段と、この送信手段によって送信された前記処理データを蓄積する蓄積手段と、この蓄積手段によって蓄積された前記処理データを読み取り、前記郵便物の郵便番号エリア候補及び住所エリア候補を検出する検出手段と、この検出手段によって検出された郵便番号エリア候補及び住所エリア候補に基づき前記圧縮画像を表示する表示手段と、前記郵便番号エリア候補及び前記住所エリア候補の表示を切り換えるための入力を受け付ける入力手段とを有することを特徴とする。
【発明の効果】
【０００９】
本発明によれば、郵便物が大型であっても当該郵便物の郵便番号及び住所などの区分情報を拡大表示できるので、ビデオコーディング端末による入力処理をすることができる。また、郵便物の画像を間引きして生成した低解像度画像によって複数のエリア候補を生成するため、郵便物が大型であっても処理時間を短縮できる。
【発明を実施するための最良の形態】
【００１０】
以下、図面を参照して本発明の実施の形態を説明する。
【実施例】
【００１１】
図１は、本発明の実施例による郵便物読取区分機の構成図である。この郵便物読取区分機は、郵便物Ｐの区分先を示す情報（文字情報）を認識して区分する読取区分機本体１、この読取区分機本体１にて区分先が認識できなかった郵便物Ｐの区分先を示す情報をこの郵便物Ｐの画面に基づいてオペレータが入力するビデオコーディングシステム（コーディング装置）（以下、ＶＣＳと称する）２から構成されている。
【００１２】
まず、読取区分機本体１について説明する。図１に示すように、読取区分機本体１は、搬送区分機本体１ａを有している。この搬送区分機本体１ａには、第１面に区分先を示す情報としての数字や文字などが書き込まれ或いは印刷された複数の郵便物Ｐを、この第１面が同一方向を向くように揃えて立位で収容するとともに、これらの郵便物Ｐを所定の取出位置へ順次供給する供給部１０を備えている。この供給部１０には、郵便物Ｐを主搬送路１７に沿って所定の間隔で１通ずつ取り出す取出部（図示しない）が配置されている。
【００１３】
上記供給部１０に供給される郵便物Ｐには、その第１面に区分先を示す情報に対応した文字のみが記載されたもの以外に、機械コードとして大口の区分先に予め決められているカスタマコードや郵便物Ｐの区分先に対応して読取区分機本体１内で決められる局内バーコード、又は認識部１５（認識手段）にて区分情報の認識が不能となった郵便物Ｐに付与されるＩＤコードなどが記載されたものがある。なお、これらの各コードは、バーコード化した情報として郵便物Ｐの第１面に付与されるものである。
【００１４】
上記供給部１０に供給されている郵便物Ｐは、一定間隔で取り出されて、一定速度で搬送する主搬送路１７により一定の搬送間隔（ピッチ）で搬送される。主搬送路１７上を搬送される郵便物Ｐは、機械処理が不可能な異物の場合には排除され、機械処理が可能な郵便物Ｐのみが搬送される。
【００１５】
主搬送路１７上には、スキャナ部（読取手段）１１、ＩＤコード読取部１２、バーコードプリンタ部１３、及び区分部１４が設けられている。上記スキャナ部１１は、主搬送路１７上の郵便物Ｐの区分先を示す情報が記載されている面を読み取り、その読み取った画像を画像バッファ（記憶手段）１９に送信する。そして、この画像は区分先を示す情報を認識する認識部（認識手段）１５へ送信される。上記ＩＤコード読取部１２は、主搬送路１７上を搬送される郵便物Ｐの第１面にＩＤコードあるいは機械コードが付与されている場合に、そのＩＤコード、あるいは機械コードを読み取るものである。
【００１６】
上記バーコードプリンタ部１３は、必要に応じて郵便物Ｐの第１面にＩＤコード、あるいは機械コードを印刷するものである。これは、認識部１５によって区分情報が認識できた場合に、その区分情報をバーコード化して郵便物上に機械コードを印刷し、認識部１５によって区分情報が認識できなかった場合に、ＩＤコードを印刷するものである。
【００１７】
このバーコードプリンタ部１３の郵便物の搬送方向下流側には、主搬送路１７上を搬送されてきた郵便物Ｐが区分先に応じて区分される区分部１４が設けられている。この区分部１４は、複数の段、複数の列に区画された複数の区分ポケットから構成されている。各ポケットは、区分先ごとに対応して設定されており、区分情報あるいは機械コードに基づいて区分された郵便物Ｐを各ポケットに順次集積する。また、区分部１４には、区分先が認識できなかった郵便物Ｐが集積されるＶＣＳ排除ポケット（ＶＣＳリジェクト区分箱）が設けられている。このＶＣＳ排除ポケットに集積された郵便物Ｐは、オペレータにより区分先を示す情報がＶＣＳ２にて入力された後に、供給部１０に再供給されるようになっている。
【００１８】
また、図１に示すように、上記読取区分機本体１の各部は、制御部１６によって制御される。この制御部１６には、供給部１０，スキャナ部１１、ＩＤコード読取部１２、バーコードプリンタ部１３、区分部１４、認識部１５、及び画像バッファ１９などが接続されている。
【００１９】
スキャナ部１１は、紙葉類の区分情報が記載されている第１面を光学的に読み取る（読取手段）。そして、この読み取った読取画像（原画像）を例えばＪＰＥＧ方式で圧縮した圧縮画像６２を生成する（圧縮画像生成手段）とともに、当該読取画像から間引き処理して生成した低解像度画像６１を生成する（低解像度画像生成手段）。上記低解像度画像６１及び圧縮画像６２で構成された処理データは、画像バッファ１９に送信される。
【００２０】
上記認識部１５は、制御部１６によって制御されて画像バッファ１９に順次記憶された上記読取画像から区分情報となる文字を切り出して文字認識を行い、図示しない文字辞書及び住所辞書と比較してマッチング法などによって区分情報の認識を行う。この認識可否は、制御部１６へ返信されるようになっている。さらに、認識部１５は、区分情報が認識できなかった場合、読取画像に付帯するＯＣＲ情報（付帯情報）を生成する（詳細は後述する。）。
【００２１】
ここで、図２を参照して上記ＶＣＳ２に送信されるデータについて説明する。認識部１５は、認識できなかった郵便物Ｐの読取画像を圧縮した上記圧縮画像６２と、当該読取画像から間引き処理して生成した低解像度画像６１と、当該郵便物Ｐに対する上記付帯情報から画像ヘッダ６０を生成する。
【００２２】
この画像ヘッダには、画像ＩＤ、低解像度画像サイズ、圧縮画像サイズ、圧縮パラメータ、エリア１開始位置、エリア１サイズ、エリア２開始位置及びエリア２サイズなどが含まれる。エリア１開始位置とは、郵便番号と住所は通常近傍に記載され、一塊りになっていることから、その一塊りの郵便番号エリア・住所エリア候補１の開始位置のことである。ただし、後述する２ウィンドウ表示などの場合のように、郵便番号エリア候補と住所エリア候補を独立に検知してエリア開始位置を設定する場合もある（詳細は後述する。）。
【００２３】
リジェクトデータ制御部（送信手段）１８は、認識部１５が郵便物Ｐの区分情報を認識できなかったとき、上記画像ヘッダ６０、低解像度画像６１、圧縮画像６２を含む処理データをＶＣＳ２に送信する制御を行う。
【００２４】
上記制御部１６は、主搬送路１７上を搬送される郵便物ＰにＩＤコードが付与されていた場合に、そのＩＤコードにより図示しないデータベースからＩＤコードに対応する区分先を検索し、その区分先に基づいて郵便物Ｐを区分する制御を行う。
【００２５】
次に、ＶＣＳ２について説明する。図１に示すように、ＶＣＳ２は、蓄積分配装置２０及び複数のビデオコーディング端末（以下、ＶＣＤと称する）３０から構成される。
【００２６】
上記蓄積分配装置２０は、認識部１５で認識できなかった郵便物Ｐの画像ヘッダ６０、低解像度画像６１及び圧縮画像６２をリジェクトデータ制御部１８から受信し、当該郵便物Ｐの低解像度画像６１を認識し、郵便番号エリア候補及び住所エリア候補を検出する（詳細は後述する。）。
【００２７】
ＶＣＤ３０は、蓄積分配装置２０から分配される郵便物Ｐの上記圧縮画像を展開して画像表示部（表示手段）３３に表示し、この表示された画像に基づいてオペレータが区分先を示す情報を入力することができる。
【００２８】
上記蓄積分配装置２０は、メモリ制御部２１、大容量記憶装置２２、画像メモリ２３、ビデオ分配制御部２４、タイミング制御部２５、入出力制御部２７及び専用認識部２８から構成される。
【００２９】
上記メモリ制御部２１は、読取区分機本体１から送信される認識できなかった郵便物Ｐの画像ヘッダ６０、低解像度画像６１及び圧縮画像６２を含む処理データを受信し大容量記憶装置（蓄積手段）２２に記憶するものである。
【００３０】
上記大容量記憶装置（蓄積手段）２２は、ハードディスクドライブ（ＨＤＤ）などで構成され、上記メモリ制御部２１の制御に基づいて読取区分機本体１から受信した画像ヘッダ６０、低解像度画像６１及び圧縮画像６２を含む処理データを記憶する。この大容量記憶装置２２に記憶された処理データは、メモリ制御部２１からの送信要求に応じて画像メモリ２３上に読み出される。
【００３１】
専用認識部（検出手段）２８は、この大容量記憶装置２２に記憶された処理データの低解像度画像６１を認識することによって、郵便番号エリア候補及び住所エリア候補を検出する。これらの検出されたエリア候補は、画像ヘッダ６０に付加される。
【００３２】
上記ビデオ分配制御部２４は、メモリ制御部２１及びタイミング制御部２５と接続されている。このビデオ分配制御部２４は、各ＶＣＤ３０、・・から送信されてくる分配要求に従って生成される分配要求テーブル（図示しない）の内容に基づいて処理データの送信先（分配先）のＶＣＤ３０を判断する。すなわち、ビデオ分配制御部２４は、分配要求テーブルによりコーディング（区分先の打鍵入力）可能で、処理データの入力待ちとなっているＶＣＤ３０を判断し、メモリ制御部２１を制御することにより各ＶＣＤ３０に処理データを送信する。
【００３３】
また、各ＶＣＤ３０・・・で入力されたコーディング情報は、入出力制御部２７により受信される。入出力制御部２７は、各ＶＣＤ３０・・・から受信したコーディング情報をタイミング制御部２５を介して読取区分機本体１の制御部１６に送信する。
【００３４】
上記ＶＣＤ３０は、制御部３１、記憶部３２、表示部３３及び入力部３４などを有している。制御部３１は、各ＶＣＤ３０の全体を制御し、また、蓄積分配装置２０からの郵便物Ｐに対する処理データを受信したり、入力部３４による入力結果（コーディング情報）を上記入出力制御部２７へ送信する機能を有している。
【００３５】
上記記憶部３２は、蓄積分配装置２０から供給された郵便物Ｐの処理データを記憶する。この記憶部３２では、現在（先に）コーディング処理中の画像や次にコーディング処理する画像などの複数の処理データを記憶できるようになっている。
【００３６】
上記表示部３３は、蓄積分配装置２０から供給された郵便物Ｐの圧縮画像６２を解凍して表示する。この表示部３３の表示方法を図３を参照して説明する。図３は、本発明の実施例によるビデオコーディング端末３０の表示部３３の画面表示例である。
【００３７】
図３（１）は、実際の大型郵便物ＰＬを示す。図中Ａは郵便番号及び住所エリア（以下、郵便番号・住所エリアと称す）である。
【００３８】
図３（２）は、従来から行われている１画面表示の例で、図３（１）に示す大型郵便物ＰＬの全体をＶＣＤ３０の表示部３３を用いて郵便番号・住所エリア候補１及び郵便番号・住所エリア候補２を図示Ａ１、Ａ２の各エリアに１画面で表示している。この大型郵便物ＰＬの全体を１画面に表示すると、郵便番号・住所エリア候補１、２は図示したように小さく表示される。このように、郵便物が大きい場合には、この郵便物を１画面表示することによって縮小表示されるためかえって目視確認しにくくなる。
【００３９】
図３（３）は、２画面表示の例で、郵便番号・住所エリア候補Ａ１及び郵便番号・住所エリア候補Ａ２を拡大して２画面表示した具体例である。この場合は郵便物の大きさに関わらず郵便番号エリア候補Ａ１及び住所エリア候補Ａ２が抜き出され、画面に対して適切な大きさでＶＣＤ３０の表示部３３に表示されるため、目視確認しやすくなる。
【００４０】
図３（４）は、実際の小型郵便物ＰＳを示す。図中Ａは郵便番号・住所エリアである。
【００４１】
図３（５）は、図３（４）に示す小型郵便物ＰＳの全体をＶＣＤ３０の表示部３３を用いて郵便番号・住所エリア候補１及び郵便番号・住所エリア候補２を図示Ａ１、Ａ２の各エリアに１画面で表示している。この小型郵便物ＰＳの全体を１画面に表示すると、郵便番号・住所エリア候補１及び郵便番号・住所エリア候補２は図示Ａ１、Ａ２で示すように拡大表示されるため目視確認しやすくなる。
【００４２】
図３（６）は、エリア拡大２ウィンドウ表示の例で、ＶＣＤ３０の表示部３３を用いて１画面に２ウィンドウを確保し、このウィンドウの中に表示している。すなわち、図３（４）の場合、小型郵便物ＰＳの郵便番号エリア候補Ｂを拡大し郵便番号表示ウィンドウＤに表示し、かつ、住所エリア候補Ｃを拡大し住所表示ウィンドウＥに表示している。本実施例の場合、図３（３）に示す実施例同様、拡大表示されるために目視確認し易くなる。また、郵便番号エリア候補及び住所エリア候補が独立したウィンドウに表示されているため、それぞれ独立した次候補の選択が可能になる。
【００４３】
なお、上記ＶＣＤ３０の表示部３３に表示された郵便番号エリア候補又は住所エリア候補は各エリアの候補を表示しているため、エリアを間違えて表示する場合がある。この場合は、ＶＣＤ３０の入力部（入力手段）３４に設けられた次候補選択キー（図示しない）を押下することによって次候補の郵便番号エリア候補又は住所エリア候補を表示することができる。
【００４４】
上記１画面表示を用いるか、又は２画面表示を用いるかは上述したようにＶＣＤ３０の入力部３４から所定の操作を行うことによって切り換えることができる。また、上記２画面表示を行う替わりに、１画面に２つのウィンドウを設けて表示してもよく、本実施例と同等の効果が得られる。
【００４５】
上記入力部（入力手段）３４は、キーボードなどで構成され、表示部３３に表示されている画像が目視確認しにくいとき、上述したようにオペレータが当該入力部から次候補選択キーの操作を行うことによって、目視確認しやすい画像に切り換えるときの入力手段として使用される。また、認識部１５による画像認識結果ＮＧになった区分先を示す情報を、当該画像を目視確認しながら入力する入力手段として使用される。
【００４６】
次に図４を参照して本発明の実施例によるビデオコーディングシステム処理のフローチャートを説明する。
【００４７】
最初に、スキャナ１１で郵便物Ｐの画像を読み取る（Ｓ１）。読み取った当該郵便物Ｐの画像を画像バッファ１９へ転送する（Ｓ２）。この画像バッファ１９に記憶された当該郵便物Ｐの画像から間引き処理を行って低解像度画像を生成する。また当該郵便物Ｐの画像を圧縮した圧縮画像を生成する（Ｓ３）。
【００４８】
認識部１５は、画像バッファ１９に記憶された当該郵便物Ｐの画像の郵便番号及び住所などの区分情報を認識する（Ｓ４）。
【００４９】
この画像認識の結果ＯＫ（Ｓ５のＯＫ）であれば区分処理（Ｓ１１）を行う。また、この画像認識の結果ＮＧ（Ｓ５のＮＧ）であれば、認識部１５は低解像度画像を認識し、複数の郵便番号エリア候補及び複数の住所エリア候補を検出する（Ｓ６）。これらエリア検出処理サブルーチンは図５で説明する。
【００５０】
この検出された複数の郵便番号エリア候補及び複数の住所エリア候補を画像ヘッダ６０に付加する（Ｓ７）。
【００５１】
リジェクトデータ制御部１８は、このようにして生成された画像ヘッダ６０、低解像度画像６１及び圧縮画像６２を含む処理データをＶＣＳ２に送信する（Ｓ８）。
【００５２】
ＶＣＳ２の蓄積分配装置２０は、受信した画像ヘッダ６０、低解像度画像６１、圧縮画像６２を展開してＶＣＤ３０に送信する。
【００５３】
ＶＣＤ３０に送信された処理データは、上記郵便番号エリア候補及び住所エリア候補がオペレータによって目視確認され、この目視確認の結果に基づいて、ビデオコーディング端末（ＶＣＤ）からビデオコーディング処理（郵便番号及び住所の入力処理）が行われる（Ｓ９）。
【００５４】
このビデオコーディング処理の結果ＯＫの場合、すなわち郵便番号又は住所の入力処理を行うことができた場合（Ｓ９のＯＫ）、次の区分処理が行われる。また、このビデオコーディング処理の結果ＮＧの場合、すなわち郵便番号又は住所の入力処理を行うことができなかった場合（Ｓ９のＮＧ）、ＶＣＳリジェクトとなる（Ｓ１０）。
【００５５】
次に、上記区分処理（Ｓ１１）の説明を行う。上記ビデオコーディング処理により入力された区分情報は、当該郵便物ＰのＩＤコードに対応づけられて上記ＶＣＳ２から上記読取区分機本体１に返される。また、上記読取区分機本体１では、上記ＶＣＳ２から通知された区分情報と当該郵便物ＰのＩＤコードとを対応させて図示しないメモリに記憶し、当該郵便物Ｐが上記供給部１０に再供給された場合に、当該郵便物ＰのＩＤコードに対応する区分情報とに基づいて郵便物が区分処理される。
【００５６】
次に、図５を用いてエリア検出処理を説明する。図５は図４に示すビデオコーディング処理のエリア検出処理サブルーチンである。最初に、読取手段で読み取られた画像からデータを間引いて生成した低解像度画像を入手する（Ｓ２０）。
【００５７】
入手した上記低解像度画像から黒画素のヒストグラムを作成する。このヒストグラムは低解像度画像を構成する縦方向ヒストグラムと横方向ヒストグラムを生成する（ＳＤ２１）。
【００５８】
上記ヒストグラムから黒画素の密集したエリアを検出する。検出結果ＯＫの場合（Ｓ２２のＯＫ）、エリア開始位置及びエリアサイズを設定する。複数検出された場合は複数設定する（Ｓ２３）。一方、黒画素の密集したエリアが検出されない場合は、画像ヘッダのエリア情報は設定されない。すなわち、例えば、図２のエリア１開始位置及びエリア１サイズが設定されない。
【００５９】
上記エリア開始位置及びエリアサイズから算出されるエリア候補のエリア優先度判定を行う。この優先度判定は、検出されたエリア候補が当該郵便物Ｐの中央に近いエリア候補から優先度を設定する。このようにして優先度を有するエリア候補が求められる。なお、本説明の中では郵便番号エリア候補と住所エリア候補とを区別しないで説明したが、図３（６）に示したエリア拡大２ウィンドウ表示では区別して検出されることは言うまでもない。
【００６０】
本実施例によれば、郵便物が大型であっても当該郵便物の郵便番号及び住所などの区分情報に関する複数のエリア情報の候補を拡大表示できるので、ビデオコーディング端末による入力処理を行うことができる。また、郵便物の画像を間引きして生成した低解像度画像によって複数のエリア候補を生成するため、郵便物が大型であっても処理時間を短縮できる。
【図面の簡単な説明】
【００６１】
【図１】本発明の実施例による郵便物読取区分機の構成図。
【図２】本発明の実施例による処理データの構成図。
【図３】本発明の実施例によるビデオコーディング端末表示部の画面表示例。
【図４】本発明の実施例によるビデオコーディングシステム処理のフローチャート。
【図５】エリア検出処理のサブルーチン。
【符号の説明】
【００６２】
Ｐ  郵便物
１ａ  搬送区分機本体
１０  供給部
１１  スキャナ部
１２  IDコード読取部
１３  バーコードプリンタ部
１４  区分部
１５  認識部
１６  制御部
１７  主搬送路
１８  リジェクトデータ制御部
１９  画像バッファ
２  ビデオコーディングシステム
２０  蓄積分配装置
２１  メモリ制御部
２２  大容量記憶装置
２３  画像メモリ
２８  専用認識部
３０  ビデオコーディング端末
３３  表示部
３４  入力部
【図１】
2005284502.tif 000003
【図２】
2005284502.tif 000004
【図３】
2005284502.tif 000005
【図４】
2005284502.tif 000006
【図５】
2005284502.tif 000007